(57)【要約】【課題】印刷機の安全装置及び輪転印刷機において、印刷品質の低下やコストの増加を抑制すると共に安全性の向上を図る。【解決手段】フレーム６２に対してブランケット胴２１及び版胴２３が回転自在に支持され、ブランケット胴２１にブランケット９２が装着され、版胴２３の刷版６３が装着された新聞用オフセット輪転印刷機にて、ブランケット胴２１の軸方向の端部に第２作業用切欠部２５を形成すると共に、版胴２３の軸方向の端部に第１作業用切欠部２７を形成し、第２作業用切欠部２５を被覆する第２安全カバー２９を設けると共に、第１作業用切欠部２７を被覆する第１安全カバー３１を設ける。【選択図】      図１
2009061604.tif 000002
【特許請求の範囲】
【請求項１】
フレームに対して印刷胴が回転自在に支持され、前記印刷胴の外周部にインキの受渡しを行う印刷プレートが装着された印刷機において、前記印刷胴の軸方向の端部に前記印刷プレートを交換するための作業用切欠部が設けられると共に、前記フレーム側に前記作業用切欠部を被覆可能な安全カバーが設けられることを特徴とする印刷機の安全装置。
【請求項２】
前記作業用切欠部は、前記印刷胴の軸方向に所定幅を有して周方向に沿って設けられており、前記安全カバーは、前記作業用切欠部の幅よりも大きな幅を有して該作業用切欠部の少なくとも一部を被覆することを特徴とする請求項１に記載の印刷機の安全装置。
【請求項３】
前記印刷胴は、前記印刷プレートを装着する胴本体と、該胴本体における軸方向端部に設けられるリング形状をなすベアラとを有し、前記作業用切欠部は、前記胴本体と前記ベアラとの間に設けられることを特徴とする請求項１または２に記載の印刷機の安全装置。
【請求項４】
前記印刷胴の外周部に、前記印刷プレートの巻き付け方向における端部を挿入する溝部が軸方向に沿って設けられ、前記溝部内に前記印刷プレートの巻き付け方向における一端部を係止する第１係止部が設けられると共に、前記印刷プレートの巻き付け方向における他端部を係止する第２係止部が設けられ、前記作業用切欠部に前記第１係止部と前記第２係止部の少なくとも一方の係止部を作動可能なプレート締め装置が設けられることを特徴とする請求項１から３のいずれか一つに記載の印刷機の安全装置。
【請求項５】
前記安全カバーに前記プレート締め装置に対向して開口部が設けられる一方、前記フレーム側に前記開口部を通して前記第１係止部または前記第２係止部を作動する作動部材が移動自在に設けられることを特徴とする請求項４に記載の印刷機の安全装置。
【請求項６】
前記安全カバーは、前記印刷胴側に弾性部材が装着されることを特徴とする請求項１から５のいずれか一つに記載の印刷機の安全装置。
【請求項７】
前記安全カバーは、前記作業用切欠部を被覆する被覆位置と、前記作業用切欠部を露出する退避位置とに移動可能に支持されることを特徴とする請求項１から６のいずれか一つに記載の印刷機の安全装置。
【請求項８】
巻取紙からウェブを供給する給紙装置と、該給紙装置から繰り出されたウェブに印刷を行う印刷ユニットと、該印刷ユニットにより印刷が施された複数のウェブを重ねて裁断して折り曲げることで折帳を形成する折機とを具えた輪転印刷機において、前記印刷ユニットは、フレームに回転自在に支持されると共に印刷シートを挟んで対接する２つのブランケット胴と、前記フレームに回転自在に支持されると共に前記各ブランケット胴にそれぞれ対接する版胴と、該各版胴にインキを供給するインキ供給装置とを備える輪転印刷機において、前記版胴の軸方向の端部に刷版を交換するための第１作業用切欠部が設けられると共に、前記フレーム側に前記第１作業用切欠部を被覆可能な第１安全カバーが設けられることを特徴とする輪転印刷機。
【請求項９】
前記版胴の外周部に、前記刷版の巻き付け方向における一端部を挿入して係止する溝部が軸方向に沿って設けられ、前記溝部内に前記刷版の巻き付け方向における他端部を係止する係止爪が設けられ、前記第１作業用切欠部に前記係止爪を作動可能な版締め装置が設けられ、前記第１安全カバーに前記版締め装置に対向して開口部が設けられる一方、前記フレーム側に前記開口部を通して前記係止爪を作動する作動部材が移動自在に設けられることを特徴とする請求項８に記載の輪転印刷機。
【請求項１０】
前記ブランケット胴の軸方向の端部にブランケットを交換するための第２作業用切欠部が設けられると共に、前記フレーム側に前記第２作業用切欠部を被覆可能な第２安全カバーが設けられることを特徴とする請求項８または９に記載の輪転印刷機。
【請求項１１】
前記ブランケット胴の外周部に、前記ブランケットの巻き付け方向における端部を挿入する溝部が軸方向に沿って設けられると共に、前記溝部内に前記ブランケットの巻き付け方向における一端部及び他端部を係止する係止部材が設けられ、前記第２作業用切欠部に前記各係止部材を作動可能なブランケット締め装置が設けられ、前記第２安全カバーは、前記第２作業用切欠部を被覆する被覆位置と、前記第２作業用切欠部を露出する退避位置とに移動可能に支持されることを特徴とする請求項１０に記載の輪転印刷機。
【請求項１２】
前記版胴及びブランケット胴は、胴本体とリング形状をなすベアラとを有し、前記第１作業用切欠部及び前記第２作業用切欠部は、前記胴本体と前記ベアラとの間に設けられることを特徴とする請求項８から１１のいずれか一つに記載の輪転印刷機。
【発明の詳細な説明】
【技術分野】
【０００１】
本発明は、給紙装置から供給された印刷シートに対して、インキ装置から版胴を介してブランケット胴に供給されたインキを転写する印刷機にて、版胴やブランケット胴における所定箇所を被覆する安全装置、並びに、この印刷機の安全装置が適用された輪転印刷機に関するものである。
【背景技術】
【０００２】
一般的な新聞用オフセット輪転印刷機は、複数の給紙装置と、複数の印刷ユニットと、ターンバー装置と、折機とから構成されており、各給紙装置から印刷ユニットにウェブが供給されると、各ウェブに対して印刷が施され、ターンバー装置で多数のウェブの走行ルートが変更されてから所定の順番に重ね合わされた後、折機にて、ウェブが縦折りされてから所定の長さで横裁断され、横折されることで折帳が形成され、排紙される。
【０００３】
このような新聞用オフセット輪転印刷機にて、印刷ユニットを構成する版胴やブランケット胴などは、印刷作業の間にメンテナンスを行う必要がある。例えば、版胴にあっては、印刷物が変わるたびに刷版の交換が必要であり、ブランケット胴にあっては、長期の使用によりブランケットが劣化すると、このブランケットの交換が必要となる。
【０００４】
例えば、版胴に対して刷版を交換するために使用される版締め装置は、この刷版を版胴の外周面に巻き付け、その巻き付け方向における各端部を版胴に固定するものであり、例えば、下記特許文献１に記載されている。この下記特許文献１に記載された印刷機の版締め装置は、刷版のくわえ側端部及びくわえ尻側端部が挿入される胴溝を版胴の表面に軸方向に形成し、この胴溝内にテンションバーを回転可能に配置し、このテンションバーにくわえ尻側端部の屈曲面に当接する当接面を有する版押さえ爪を設けると共に、このテンションバーの端部にレバーを装着し、ばね機構により版押さえ爪がくわえ尻側端部の屈曲部に引っ掛けて胴溝内に引き込む方向に付勢する一方、レバーにハンドルを装着し、版押さえ爪をくわえ尻側端部から外れる解放方向へ回転可能とするものである。
【０００５】
ところで、上述した印刷機の版胴には、その端部に版締め装置により刷版の交換を行うための作業用切欠部が設けられており、印刷作業中における作業者の安全を考慮し、安全カバーが設けられている。この場合、従来は、版胴やブランケット胴からなる印刷ユニットを所定のハウジング内に収容し、このハウジングにメンテナンス用の開口部を形成し、この開口部を開閉する安全カバーが設けられていた。従って、作業者は、この安全カバーを開放してハウジング内に侵入し、版交換作業やブランケット交換作業を行い、印刷作業中には、この安全カバーを閉止する。この版交換作業時やブランケット交換作業時、作業者は、作動スイッチを押し込むことで版胴やブランケット胴を回転して版交換やブランケット交換をしており、作動スイッチから手を離すと版胴やブランケット胴の回転が停止することで、作業者の安全性を確保している。また、印刷作業中に安全カバーを開放すると、印刷作業が停止、即ち、各胴の回転が停止することで、作業者の安全性を確保している。
【０００６】
また、印刷機の安全装置として、下記特許文献２に記載されたものがある。この下記特許文献２に記載された輪転印刷機における安全装置は、版胴とゴム胴との回転食い込み部近傍に、ばね部材で付勢されて摺動自在に装着されたピンが両端部に設けられた安全バーを、ベアラカバーで支持させて着脱自在に架設し、この安全バーをはずすときに、ピンによりスイッチを作動させ、版胴とゴム胴の回転を寸動のみ可能とするものである。
【０００７】
【特許文献１】特開２００３−２０５５９７号公報
【特許文献２】実公昭６３−０１９１５０号公報
【発明の開示】
【発明が解決しようとする課題】
【０００８】
上述した安全カバーは、版胴やブランケット胴などの印刷ユニットをハウジングにより閉鎖された空間に収納するものである。そのため、印刷作業中に、湿し水装置により版胴やブランケット胴の表面に水をスプレーすると、ハウジング内の湿度が上昇して結露が発生する。すると、この結露により生じた水滴が版胴やブランケット胴の表面に落下し、印刷障害が発生してしまうことがある。この場合、ハウジングに、換気装置や除湿装置などを設けることが考えられるが、製造コストが増加すると共に、作業コストが増加してしまう。
【０００９】
一方、従来の印刷機の安全装置では、安全カバーを開放したときに、版胴とゴム胴の回転を寸動のみとなるため、安全性は向上するものの、版交換作業やブランケット交換作業における作業性が低下すると共に、製造コストも増加してしまう。なお、この特許文献２には、ベアラカバーが設けられているが、このベアラカバーは、ベアラの外周側を覆うことで、汚れを防止するものであり、作業者の安全性を確保するものではない。
【００１０】
本発明は上述した課題を解決するものであり、印刷品質の低下やコストの増加を抑制すると共に安全性の向上を図る印刷機の安全装置及び輪転印刷機を提供することを目的とする。
【課題を解決するための手段】
【００１１】
上記の目的を達成するための請求項１の発明の印刷機の安全装置は、フレームに対して印刷胴が回転自在に支持され、前記印刷胴の外周部にインキの受渡しを行う印刷プレートが装着された印刷機において、前記印刷胴の軸方向の端部に前記印刷プレートを交換するための作業用切欠部が設けられると共に、前記フレーム側に前記作業用切欠部を被覆可能な安全カバーが設けられることを特徴とするものである。
【００１２】
請求項２の発明の印刷機の安全装置では、前記作業用切欠部は、前記印刷胴の軸方向に所定幅を有して周方向に沿って設けられており、前記安全カバーは、前記作業用切欠部の幅よりも大きな幅を有して該作業用切欠部の少なくとも一部を被覆することを特徴としている。
【００１３】
請求項３の発明の印刷機の安全装置では、前記印刷胴は、前記印刷プレートを装着する胴本体と、該胴本体における軸方向端部に設けられるリング形状をなすベアラとを有し、前記作業用切欠部は、前記胴本体と前記ベアラとの間に設けられることを特徴としている。
【００１４】
請求項４の発明の印刷機の安全装置では、前記印刷胴の外周部に、前記印刷プレートの巻き付け方向における端部を挿入する溝部が軸方向に沿って設けられ、前記溝部内に前記印刷プレートの巻き付け方向における一端部を係止する第１係止部が設けられると共に、前記印刷プレートの巻き付け方向における他端部を係止する第２係止部が設けられ、前記作業用切欠部に前記第１係止部と前記第２係止部の少なくとも一方の係止部を作動可能なプレート締め装置が設けられることを特徴としている。
【００１５】
請求項５の発明の印刷機の安全装置では、前記安全カバーに前記プレート締め装置に対向して開口部が設けられる一方、前記フレーム側に前記開口部を通して前記第１係止部または前記第２係止部を作動する作動部材が移動自在に設けられることを特徴としている。
【００１６】
請求項６の発明の印刷機の安全装置では、前記安全カバーは、前記印刷胴側に弾性部材が装着されることを特徴としている。
【００１７】
請求項７の発明の印刷機の安全装置では、前記安全カバーは、前記作業用切欠部を被覆する被覆位置と、前記作業用切欠部を露出する退避位置とに移動可能に支持されることを特徴としている。
【００１８】
請求項８の発明の輪転印刷機は、巻取紙からウェブを供給する給紙装置と、該給紙装置から繰り出されたウェブに印刷を行う印刷ユニットと、該印刷ユニットにより印刷が施された複数のウェブを重ねて裁断して折り曲げることで折帳を形成する折機とを具えた輪転印刷機において、前記印刷ユニットは、フレームに回転自在に支持されると共に印刷シートを挟んで対接する２つのブランケット胴と、前記フレームに回転自在に支持されると共に前記各ブランケット胴にそれぞれ対接する版胴と、該各版胴にインキを供給するインキ供給装置とを備える輪転印刷機において、前記版胴の軸方向の端部に刷版を交換するための第１作業用切欠部が設けられると共に、前記フレーム側に前記第１作業用切欠部を被覆可能な第１安全カバーが設けられることを特徴とするものである。
【００１９】
請求項９の発明の輪転印刷機では、前記版胴の外周部に、前記刷版の巻き付け方向における一端部を挿入して係止する溝部が軸方向に沿って設けられ、前記溝部内に前記刷版の巻き付け方向における他端部を係止する係止爪が設けられ、前記第１作業用切欠部に前記係止爪を作動可能な版締め装置が設けられ、前記第１安全カバーに前記版締め装置に対向して開口部が設けられる一方、前記フレーム側に前記開口部を通して前記係止爪を作動する作動部材が移動自在に設けられることを特徴としている。
【００２０】
請求項１０の発明の輪転印刷機では、前記ブランケット胴の軸方向の端部にブランケットを交換するための第２作業用切欠部が設けられると共に、前記フレーム側に前記第２作業用切欠部を被覆可能な第２安全カバーが設けられることを特徴としている。
【００２１】
請求項１１の発明の輪転印刷機では、前記ブランケット胴の外周部に、前記ブランケットの巻き付け方向における端部を挿入する溝部が軸方向に沿って設けられると共に、前記溝部内に前記ブランケットの巻き付け方向における一端部及び他端部を係止する係止部材が設けられ、前記第２作業用切欠部に前記各係止部材を作動可能なブランケット締め装置が設けられ、前記第２安全カバーは、前記第２作業用切欠部を被覆する被覆位置と、前記第２作業用切欠部を露出する退避位置とに移動可能に支持されることを特徴としている。
【００２２】
請求項１２の発明の輪転印刷機では、前記版胴及びブランケット胴は、胴本体とリング形状をなすベアラとを有し、前記第１作業用切欠部及び前記第２作業用切欠部は、前記胴本体と前記ベアラとの間に設けられることを特徴としている。
【発明の効果】
【００２３】
請求項１の発明の印刷機の安全装置によれば、フレームに対して印刷胴を回転自在に支持し、印刷胴の外周部にインキの受渡しを行う印刷プレートを装着して構成し、印刷胴の軸方向の端部に印刷プレートを交換するための作業用切欠部を設けると共に、フレーム側に作業用切欠部を被覆可能な安全カバーを設けている。従って、安全カバーにより作業用切欠部が被覆されることで、作業者における安全性を向上することができる一方で、印刷ユニット全体を覆う必要がなくなって印刷品質の低下を抑制することができると共に、コストの増加を抑制することができる。
【００２４】
請求項２の発明の印刷機の安全装置によれば、作業用切欠部を印刷胴の軸方向に所定幅を有して周方向に沿って設け、安全カバーが作業用切欠部の幅よりも大きな幅を有して作業用切欠部の少なくとも一部を被覆するので、作業用切欠部への作業者の手などの挟み込みを適正に回避することができる。
【００２５】
請求項３の発明の印刷機の安全装置によれば、印刷胴として、印刷プレートを装着する胴本体と、胴本体における軸方向端部に設けられるリング形状をなすベアラとを設け、作業用切欠部を胴本体とベアラとの間に設けるので、印刷プレートの交換作業における高い作業性を確保することができると共に、安全カバーによりこの作業業用切欠部を適正に被覆することができる。
【００２６】
請求項４の発明の印刷機の安全装置によれば、印刷胴の外周部に印刷プレートの巻き付け方向における端部を挿入する溝部を軸方向に沿って設け、この溝部内に印刷プレートの一端部を係止する第１係止部を設けると共に、他端部を係止する第２係止部を設け、作業用切欠部に第１係止部と第２係止部の少なくとも一方の係止部を作動可能なプレート締め装置を設けるので、安全カバーにより作業用切欠部に設けられたプレート締め装置を被覆することとなり、印刷作業中にプレート締め装置に作業者の手などが触れることはなく、安全性を更に向上することができる。
【００２７】
請求項５の発明の印刷機の安全装置によれば、安全カバーにプレート締め装置に対向して開口部を設ける一方、フレーム側に開口部を通して第１係止部または第２係止部を作動する作動部材を移動自在に設けるので、安全カバーにより作業者の安全性を向上することができると共に、作動部材によりプレート締め装置を作動して印刷プレートの交換作業を自動的に行うことで、作業性を向上することができる。
【００２８】
請求項６の発明の印刷機の安全装置によれば、安全カバーにおける印刷胴側に弾性部材を装着するので、印刷胴が安全カバーに接触しても、印刷プレートの表面に傷が生ずることはなく、印刷胴の損傷を防止することができる。
【００２９】
請求項７の発明の印刷機の安全装置によれば、安全カバーを、作業用切欠部を被覆する被覆位置と、作業用切欠部を露出する退避位置とに移動可能に支持するので、印刷作業時には、安全カバーを被覆位置に移動することで、作業者の安全性を向上することができる一方、印刷プレートの交換作業時には、安全カバーを退避位置に移動することで、印刷プレートの交換作業の作業性を向上することができる。
【００３０】
請求項８の発明の輪転印刷機によれば、給紙装置と印刷ユニットと折機とから構成し、印刷ユニットを、ブランケットと版胴とインキ供給装置とから構成し、版胴の軸方向の端部に刷版を交換するための第１作業用切欠部を設けると共に、フレーム側に第１作業用切欠部を被覆可能な第１安全カバーを設けている。従って、第１安全カバーにより第１作業用切欠部が被覆されることで、作業者における安全性を向上することができる一方で、印刷ユニット全体を覆う必要がなくなって印刷品質の低下を抑制することができると共に、コストの増加を抑制することができる。
【００３１】
請求項９の発明の輪転印刷機によれば、版胴の外周部に、刷版の巻き付け方向における一端部を挿入して係止する溝部を軸方向に沿って設け、溝部内に刷版の巻き付け方向における他端部を係止する係止爪を設け、第１作業用切欠部に係止爪を作動可能な版締め装置を設け、第１安全カバーに版締め装置に対向して開口部を設ける一方、フレーム側に開口部を通して係止爪を作動する作動部材を移動自在に設けるので、第１安全カバーにより第１作業用切欠部に設けられた版締め装置を被覆することとなり、印刷作業中に版締め装置に作業者の手などが触れることはなく、安全性を更に向上することができると共に、作動部材により版締め装置を作動して刷版の交換作業を自動的に行うことで、作業性を向上することができる。
【００３２】
請求項１０の発明の輪転印刷機によれば、ブランケット胴の軸方向の端部にブランケットを交換するための第２作業用切欠部を設けると共に、フレーム側に第２作業用切欠部を被覆可能な第２安全カバーを設けるので、第２安全カバーにより第２作業用切欠部が被覆されることで、作業者における安全性を向上することができる一方で、印刷ユニット全体を覆う必要がなくなって印刷品質の低下を抑制することができると共に、コストの増加を抑制することができる。
【００３３】
請求項１１の発明の輪転印刷機によれば、ブランケット胴の外周部に、ブランケットの巻き付け方向における端部を挿入する溝部を設けると共に、溝部内にブランケットの一端部及び他端部を係止する係止部材を設け、第２作業用切欠部に各係止部材を作動可能なブランケット締め装置を設け、第２安全カバーを、第２作業用切欠部を被覆する被覆位置と、第２作業用切欠部を露出する退避位置とに移動可能に支持するので、印刷作業時には、第２安全カバーを被覆位置に移動することで、この第２安全カバーにより第２作業用切欠部に設けられたブランケット締め装置を被覆することとなり、印刷作業中にブランケット締め装置に作業者の手などが触れることはなく、安全性を更に向上することができる一方、ブランケットの交換作業時には、第２安全カバーを退避位置に移動することで、ブランケットの交換作業の作業性を向上することができる。
【００３４】
請求項１２の発明の輪転印刷機によれば、版胴及びブランケット胴に、胴本体とリング形状をなすベアラを設け、第１作業用切欠部及び第２作業用切欠部が胴本体とベアラとの間に設けるので、刷版やブランケットの交換作業における高い作業性を確保することができると共に、安全カバーによりこの作業業用切欠部を適正に被覆することができる。
【発明を実施するための最良の形態】
【００３５】
以下に添付図面を参照して、本発明に係る印刷機の安全装置及び輪転印刷機の好適な実施例を詳細に説明する。なお、この実施例により本発明が限定されるものではない。
【実施例】
【００３６】
図１は、本発明の一実施例に係る印刷機の安全装置が適用された印刷ユニットの概略図、図２は、本実施例の印刷機の安全装置における安全カバーを表す断面図、図３は、本実施例の印刷機の安全装置における版締め装置を表す断面図、図４は、本実施例の印刷機の安全装置を表す平面図、図５は、本実施例の印刷機の安全装置が適用された新聞用オフセット輪転印刷機を表す概略図である。
【００３７】
本実施例の印刷機は、図５に示すように、新聞用オフセット輪転印刷機であって、複数（本実施例では、７台）の給紙装置１１と、複数（本実施例では、７台）の印刷ユニット１２，１３と、ターンバー装置１４と、折機１５とから構成されている。そして、本実施例の新聞用オフセット輪転印刷機では、図示しない建屋の１階に給紙装置１１が設置され、２階及び３階に印刷ユニット１２，１３が設置され、３階から５階にターンバー装置１４が設置され、また、２階、３階に折機１５が設置されている。
【００３８】
上述した各給紙装置１１には、それぞれウェブＷがロール状に巻かれた３つの巻取紙Ｒを保持する保持アーム１６が設けられ、この保持アーム１６を回動することで、巻取紙Ｒを給紙位置に回動することができる。また、この各給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００３９】
印刷ユニット１２，１３にて、印刷ユニット１２は、両面４色印刷を行う多色刷印刷ユニットであり、印刷ユニット１３は、両面２色印刷を行う２色刷印刷ユニットとなっている。そして、この印刷ユニット１２，１３には、図示しないインキ供給装置が設けられている。従って、給紙装置１１から印刷ユニット１２，１３にウェブＷが供給されると、各印刷ユニット１２，１３では、各ウェブＷに対して所定の印刷を行うことができる。なお、本実施例では、印刷ユニット１２，１３を、多色刷印刷ユニット１２と２色刷印刷ユニット１３により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００４０】
ターンバー装置１４は、図示しないが、ウェブＷを縦（ウェブＷの長手方向またはウェブＷの搬送方向）に沿ってその幅方向の中央部で裁断する複数のカッタと、縦裁断したウェブＷの搬送経路を設定する多数のターンバーが設けられている。従って、各印刷ユニット１２，１３で印刷が施された各ウェブＷは、ターンバー装置１４にて、カッタにより縦裁断されると共に、ターンバーにより搬送経路が変更され、所定の順番に重ね合わせることができる。
【００４１】
折機１５には、フォーマが設けられると共に、折胴と鋸胴が対向して設けられ、その下方に一対の折込ローラが設けられ、更にその下方に羽根車と排紙コンベアが設けられている。従って、ターンバー装置１４から複数のウェブＷが重ねられて導入されると、折機１５にて、フォーマによりウェブＷを縦折りし、折胴と鋸胴により所定の長さで横裁断し、折込ローラにより横折りして所望の折帳を形成することができ、この折帳を羽根車と排紙コンベアにより排紙することができる。
【００４２】
このように構成された本実施例の新聞用オフセット輪転印刷機には、版胴やブランケット胴のための安全装置が設けられている。即ち、印刷ユニット１２，１３における版胴には、刷版が交換可能に装着され、ブランケット胴には、ブランケット（ゴム）が交換可能に装着されており、この版胴及びブランケット胴の端部には、刷版及びブランケットを交換するための作業用切欠部が設けられ、この作業用切欠部を被覆可能な安全カバーが設けられている。なお、本発明の印刷胴は、版胴及びブランケット胴であり、本発明の印刷プレートは、刷版及びブランケットである。
【００４３】
以下、本実施例の印刷機の安全装置について詳細に説明するが、この安全装置は、上述した印刷ユニット１２，１３にほぼ同様のものが適用されており、印刷ユニット１２に適用されたものについてのみ説明する。
【００４４】
本実施例の印刷機の安全装置において、図１に示すように、印刷ユニット１２は、下方に配置されてウェブＷを挟んで対向する一対のブランケット胴２１，２２と、この各ブランケット胴２１，２２に対接する版胴２３，２４とを有すると共に、上方に配置されてウェブＷを挟んで対向する一対のブランケット胴４１，４２と、この各ブランケット胴４１，４２に対接する版胴４３，４４とを有している。そして、各ブランケット胴２１，２２，４１，４２には、軸方向における端部に第２作業用切欠部２５，２６，４５，４６が形成され、各版胴２３，２４，４３，４４には、軸方向における端部に第１作業用切欠部２７，２８，４７，４８が形成されている。そして、後述するフレーム側には、各ブランケット胴２１，２２，４１，４２の第２作業用切欠部２５，２６，４５，４６を被覆する第２安全カバー２９，３０，４９，５０が配置されると共に、各版胴２３，２４，４３，４４の第１作業用切欠部２７，２８，４７，４８を被覆する第１安全カバー３１，３２，５１，５２が配置されている。
【００４５】
ここで、第１安全カバー３１，３２，５１，５２及び第２安全カバー２９，３０，４９，５０は、ほぼ同様の構成をなしているため、ブランケット胴２１の第２安全カバー２９及び版胴２３の第１安全カバー３１についてのみ説明する。
【００４６】
版胴２３は、図２乃至図４に示すように、回転軸６１がフレーム６２に軸受を介して回転自在に支持されると共に、図示しない駆動装置により回転可能となっている。この版胴２３は、刷版６３を巻き付ける胴本体６４と、この胴本体６４における軸方向の両端部（図示は一端部だけ）に設けられたリング形状をなすベアラ６５とを有しており、この胴本体６４とベアラ６５との間に第１作業用切欠部２７が設けられている。
【００４７】
また、版胴２３の胴本体６４の外周部には、軸方向に沿って溝部６６が形成されており、この溝部６６の両端部は、第１作業用切欠部２７に連通している。この溝部６６内には、テンションバー６７が回動自在に支持されており、テンションバー６７内には回動軸６８が嵌合し、テンションバー６７と回動軸６８が一体回転可能に連結され、この回動軸６８は、端部が第１作業用切欠部２７まで延出されている。また、版胴２３の溝部６６には、刷版６３における巻き付け方向の一端部に屈曲して形成された係止部６３ａが係止する係止溝（第１係止部）６６ａが形成され、テンションバー６７の外周部には、刷版６３における巻き付け方向の他端部に屈曲して形成された係止部６３ｂが係止する係止爪（第２係止部）６７ａが形成されている。
【００４８】
第１作業用切欠部２７に位置するテンションバー６７の端部には、版締め装置を構成する係止レバー６９が嵌合し、一体回転可能に連結されている。この係止レバー６９は、径方向一方側に作動アーム６９ａが形成される一方、径方向他端側に取付アーム６９ｂが形成されている。そして、第１作業用切欠部２７に固定された取付台７０と係止レバー６９の作動アーム６９ａとの間に圧縮コイルばね７１が介装されており、係止レバー６９は、図３にて反時計回り方向、つまり、テンションバー６７の係止爪６７ａが刷版６３の係止部６３ｂを拘束する方向に付勢支持されている。また、係止レバー６９の取付アーム６９ｂには手動ハンドル７２が連結されると共に、第１作業用切欠部２７に固定された取付台７３には、この手動ハンドル７２を操作ハンドル７４が回動自在に装着されている。
【００４９】
一方、フレーム６２には、版胴２３の第１作業用切欠部２７まで延設された取付ブラケット７５が固定されており、この取付ブラケット７５にエアシリンダ７６が取付けられている。また、取付ブラケット７５には、リニアガイド７７を介して移動体７８が移動自在に支持されており、この移動体７８は、エアシリンダ７６により移動可能となっている。そして、この移動体７８には、作動ローラ７９が装着されており、エアシリンダ７６により移動体７８を介して作動ローラ７９を係止レバー６９の作動アーム６９ａに対して接近離反自在となっている。
【００５０】
従って、刷版６３は、版胴２３の外周部に巻き付けられた状態で、巻き付け方向の一端部にある係止部６３ａが係止溝６６ａに係止し、他端部にある係止部６３ｂが係止爪６７ａに係止し、係止レバー６９が圧縮コイルばね７１の付勢力により付勢されることで、テンションバー６７の係止爪６７ａが刷版６３の係止部６３ｂを拘束し、版胴２３の外周部に刷版６３を適正に装着することができる。一方、この状態から、エアシリンダ７６にエアを給排して移動体７８を介して作動ローラ７９を係止レバー７９に接近させると、作動ローラ７９が作動アーム６９ａを押圧し、圧縮コイルばね７１の付勢力に抗して係止レバー６９を、図３にて時計回り方向に回動することで、テンションバー６７の係止爪６７ａによる刷版６３の係止部６３ｂの拘束を解除し、版胴２３の外周部から刷版６３を取外すことができる。
【００５１】
また、上述した第１作業用切欠部２７は、版胴２３の軸方向に所定幅を有して周方向に沿って設けられており、第１安全カバー３１は、この第１作業用切欠部２７の幅よりも大きな幅を有し、版胴２３の周方向に沿って湾曲した矩形状をなしており、第１作業用切欠部２７の少なくとも一部を被覆している。即ち、フレーム６２には、取付ブラケット８１の基端部が固定されると共に、支持ブラケット８２を介して取付ブラケット８３の基端部が固定されており、各取付ブラケット８１，８３の先端部に締結ボルト８４，８５により第１安全カバー３１が固定されている。
【００５２】
そして、この第１安全カバー３１は、裏面、つまり、版胴２３における刷版６３の表面と対向する面に弾性部材としてのゴムプレート８６が装着されている。また、第１安全カバー３１は、係止レバー６９に対向する位置に開口部８７が形成されており、作動ローラ７９がこの開口部８７を通して係止レバー６９に係合することで、作動アーム６９ａを押圧して係止レバー６９を回動することができる。
【００５３】
一方、ブランケット胴２１は、図２乃至図４に示すように、回転軸９１がフレーム６２に軸受を介して回転自在に支持されると共に、図示しない駆動装置により回転可能となっている。このブランケット胴２１は、ブランケット９２を巻き付ける胴本体９３と、この胴本体９３における軸方向の両端部（図示は一端部だけ）に設けられたリング形状をなすベアラ９４とを有しており、この胴本体９３とベアラ９４との間に第２作業用切欠部２５が設けられている。
【００５４】
また、ブランケット胴２１の胴本体９３の外周部には、軸方向に沿って溝部９５が形成されており、この溝部９５の両端部は、第１作業用切欠部２７に連通している。この溝部９５内には、くわえ側巻き軸９６とくわえ尻側巻き軸９７が平行をなして配置されており、各巻き軸９６，９７は、端部が第２作業用切欠部２５まで延出されている。そして、このくわえ側巻き軸９６に、ブランケット９２における巻き付け方向の一端部を係止する図示しない押え金（第１係止部）が設けられ、くわえ尻側巻き軸９７に、ブランケット９２における巻き付け方向の他端部を係止する図示しない押え金（第２係止部）が設けられている。そして、第２作業用切欠部２５に位置する各巻き軸９６，９７の端部には、図示しないブランケット締め装置が設けられており、このブランケット締め装置は、作業者により操作可能となっている。
【００５５】
また、この第２作業用切欠部２５は、ブランケット胴２１の軸方向に所定幅を有して周方向に沿って設けられており、第２安全カバー２９は、この第２作業用切欠部２５の幅よりも大きな幅を有し、ブランケット胴２１の周方向に沿って湾曲した矩形状をなしており、第２作業用切欠部２５の少なくとも一部を被覆している。即ち、フレーム６２には、支持ブラケット８２を介して取付ブラケット９９の基端部が固定されると共に、取付ブラケット１００の基端部が固定されており、各取付ブラケット９９，１００の先端部に締結ボルト１０１，１０２により第２安全カバー２９が固定されている。そして、この第２安全カバー２９は、裏面、つまり、ブランケット胴２１におけるブランケット９２の表面と対向する面に弾性部材としてのゴムプレート１０３が装着されている。
【００５６】
そして、この第２安全カバー２９は、締結ボルト１０２を弛緩して端部を非拘束状態とし、手動により回動することで、第２作業用切欠部２５を被覆する被覆位置（図２の実線位置）と、第２作業用切欠部２５を露出する退避位置（図２の二点差線位置）とに移動可能となっている。
【００５７】
なお、ここでは、ブランケット胴２１における軸方向一方側の第２安全カバー２９と版胴２３における軸方向一方側の第１安全カバー３１についてのみ説明したが、ブランケット胴２１における軸方向他方側の第２安全カバーと版胴２３における軸方向他方側の第１安全カバーもほぼ同様の構成となっている。また、ブランケット胴２１の第２安全カバー２９と版胴２３の第１安全カバー３１についてのみ説明したが、他のブランケット胴２２，４１，４２の第２安全カバー３０，４９，５０と版胴２４，４３，４４の第１安全カバー３２，５１，５２もほぼ同様の構成となっている。
【００５８】
このように本実施例の印刷機の安全装置にあっては、フレーム６２に対してブランケット胴２１及び版胴２３が回転自在に支持され、ブランケット胴２１にブランケット９２が装着され、版胴２３の刷版６３が装着された新聞用オフセット輪転印刷機にて、ブランケット胴２１の軸方向の端部に第２作業用切欠部２５を形成すると共に、版胴２３の軸方向の端部に第１作業用切欠部２７を形成し、第２作業用切欠部２５を被覆する第２安全カバー２９を設けると共に、第１作業用切欠部２７を被覆する第１安全カバー３１を設けている。
【００５９】
従って、各安全カバー２９，３１により作業用切欠部２５，２７が被覆されることで、印刷作業中に作業者の手などが作業用切欠部２５，２７に挟まれることはなく、作業の安全性を向上することができる一方で、印刷ユニット全体を覆う必要がなくなって印刷品質の低下を抑制することができると共に、コストの増加を抑制することができる。また、版交換作業時やブランケット交換作業時、作業者は、作動スイッチを押し続ける必要はなく、交換作業の作業性を向上することができる。
【００６０】
また、本実施例の印刷機の安全装置では、ブランケット胴２１では、胴本体９３とベアラ９４との間に第２作業用切欠部２５を設け、版胴２３では、胴本体６４とベアラ６５との間に第１作業用切欠部２７を設けている。従って、刷版６３やブランケット９２の交換作業における高い作業性を確保することができると共に、安全カバー２９，３１により各作業用切欠部２５，２７を適正に被覆することができる。
【００６１】
また、本実施例の印刷機の安全装置では、版胴２３の外周部に、刷版６３の巻き付け方向における端部を挿入する溝部６６を軸方向に沿って設け、この溝部６６内に刷版６３の一方の係止部６３ａを係止する係止溝６６ａを設けると共に、他方の係止部６３ｂを係止する係止爪６７ａを有するテンションバー６７を設け、第１作業用切欠部２７にテンションバー６７を回動する係止レバー６９を設けている。また、ブランケット胴２１の外周部に、ブランケット９２の巻き付け方向における端部を挿入する溝部９５を軸方向に沿って設け、この溝部９５内にブランケット９２の端部を係止するくわえ側巻き軸９６とくわえ尻側巻き軸９７を設け、第２作業用切欠部２５側から作動可能としている。従って、各安全カバー２９，３１により作業用切欠部２５，２７に設けられた係止レバー６９や各巻き軸９６，９７を被覆することとなり、印刷作業中に作業者の手などが触れることはなく、安全性を更に向上することができる。
【００６２】
また、本実施例の印刷機の安全装置では、第１安全カバー３１に係止レバー６９に対向して開口部８７を設ける一方、フレーム６２側にこの開口部８７を通して作動アーム６９ａを押圧して係止レバー６９を作動する作動ローラ７９をエアシリンダ７６により移動自在に設けている。従って、第１安全カバー３１により作業者の安全性を向上することができると共に、作動ローラ７９により係止レバー６９を作動して刷版６３の交換作業を自動的に行うことで、作業性を向上することができる。
【００６３】
また、本実施例の印刷機の安全装置では、各安全カバー２９，３１における内面にゴムプレート８６，１０３を装着している。従って、ブランケット胴２１や版胴２３が安全カバー２９，３１に接触しても、ブランケット９２や刷版６３の表面に傷が生ずることはなく、ブランケット胴２１や版胴２３の損傷を防止することができる。
【００６４】
また、本実施例の印刷機の安全装置では、第２安全カバー２９を、第２作業用切欠部２５を被覆する被覆位置と、第２作業用切欠部２５を露出する退避位置とに移動可能に支持している。従って、印刷作業時には、第２安全カバー２９を被覆位置に移動することで、作業者の安全性を向上することができる一方、ブランケット９２の交換作業時には、第２安全カバー２９を退避位置に移動することで、ブランケット９２の交換作業の作業性を向上することができる。
【００６５】
また、本実施例の輪転印刷機にあっては、給紙装置１１と印刷ユニット１２，１３とターンバー装置１４と折機１５とから構成し、印刷ユニット１２，１３を、ブランケット胴２１，２２，４１，４２と版胴２３，２４，４３，４４とインキ供給装置とから構成し、版胴２３，２４，４３，４４の軸方向の端部に刷版を交換するための第１作業用切欠部２７，２８，４７，４８を設けると共に、フレーム６２側に第１作業用切欠部２７，２８，４７，４８を被覆可能な第１安全カバー３１，３２，５１，５２を設け、また、ブランケット胴２１，２２，４１，４２に第２作業用切欠部２５，２６，４５，４６を形成し、フレーム６２側に第２作業用切欠部２５，２６，４５，４６を被覆可能な第２安全カバー２９，３０，４９，５０を設けている。従って、各安全カバー３１，３２，５１，５２，２９，３０，４９，５０により各作業用切欠部２７，２８，４７，４８，２５，２６，４５，４６が被覆されることで、作業者における安全性を向上することができる一方で、印刷ユニット全体を覆う必要がなくなって印刷品質の低下を抑制することができると共に、コストの増加を抑制することができる。
【００６６】
そして、本実施例の新聞用オフセット輪転印刷機における印刷ユニット１３では、左右に対向するブランケット胴２１，２２とブランケット胴４１，４２が上下に配設され、このブランケット胴２１，２２の間とブランケット胴４１，４２の間をウェブＷが通過して印刷可能となっている。この場合、作業者は、ブランケット胴２１，２２，４１，４２や版胴２３，２４，４３，４４に対して、ウェブＷの走行経路の反対側からメンテナンスを行うものであり、各安全カバー３１，３２，５１，５２，２９，３０，４９，５０は、このメンテナンスを行う作業者に対して設けられている。即ち、作業者が、ブランケット胴２１，２２，４１，４２や版胴２３，２４，４３，４４に対してメンテナンスを行うとき、各安全カバー３１，３２，５１，５２，２９，３０，４９，５０により各作業用切欠部２７，２８，４７，４８，２５，２６，４５，４６が被覆されており、手などが挟まれる事故を未然に防止することができる。
【００６７】
なお、上述した本実施例では、本発明の印刷機の安全装置を新聞用オフセット輪転印刷機に適用したが、この形式の印刷機に限らず、商業用の印刷機などにも適用することができ、また、輪転機に限らず、枚葉機に適用してもよい。
【産業上の利用可能性】
【００６８】
本発明に係る印刷機の安全装置及び輪転印刷機は、作業用切欠部を被覆する安全カバーを設けることで、印刷品質の低下やコストの増加を抑制すると共に安全性の向上を図るものであり、いずれの印刷機にも適用することができる。
【図面の簡単な説明】
【００６９】
【図１】本発明の一実施例に係る印刷機の安全装置が適用された印刷ユニットの概略図である。
【図２】本実施例の印刷機の安全装置における安全カバーを表す断面図である。
【図３】本実施例の印刷機の安全装置における版締め装置を表す断面図である。
【図４】本実施例の印刷機の安全装置を表す平面図である。
【図５】本実施例の印刷機の安全装置が適用された新聞用オフセット輪転印刷機を表す概略図である。
【符号の説明】
【００７０】
１１  給紙装置
１２，１３  印刷ユニット
１４  ターンバー装置
１５  折機
２１，２２，４１，４２  ブランケット胴（印刷胴）
２３，２４，４３，４４  版胴（印刷胴）
２５，２６，４５，４６  第２作業用切欠部
２７，２８，４７，４８  第１作業用切欠部
２９，３０，４９，５０  第２安全カバー
３１，３２，５１，５２  第１安全カバー
６２  フレーム
６３  刷版（印刷プレート）
６５  ベアラ
６６  溝部
６９  係止レバー（版締め装置）
７６  エアシリンダ
７９  作動ローラ（作動部材）
８６  ゴムプレート（弾性部材）
８７  開口部
９６  くわえ側巻き軸（版締め装置）
９７  くわえ尻側巻き軸（版締め装置）
１０３  ゴムプレート（弾性部材）
Ｗ  ウェブ
【図１】
2009061604.tif 000003
【図２】
2009061604.tif 000004
【図３】
2009061604.tif 000005
【図４】
2009061604.tif 000006
【図５】
2009061604.tif 000007